(57)【要約】  槽間に水を有さない洗濯機および制御方法において、前記洗濯機は外槽（４）と、内槽（１）と、空気室（７）と、空気室（７）に接続される圧力センサ（１９）とを含む。前記内槽（１）の上部における縁部の近くに複数の放水孔（２）が設けられ、内槽（１）の底部に少なくとも１つの内槽排水口（３）が設けられる。外槽（４）底部に内槽排水口（３）を閉じることができる伸縮式排水弁（１０）が設けられ、外槽（４）底部に外槽排水口（５）が設けられ、前記外槽排水口（５）に洗濯機の排水管路（６）が設けられる。外槽（４）に内槽（１）と通じる空気室（７）が設置され、空気室（７）に空気室（７）中の水を排出することができる空気室排水口（８）が設けられる。上記洗濯機の排水は徹底され、残ることはなく、排水速度は速く、水流が内外槽間で停滞するのを防止し、汚れが外槽（４）内壁に付着するのを防止する。水位測定は正確で、構造は簡単である。空気室（７）中に水が残ることはなく、再度水位測定を使用する時の誤差を防止し、水が空気室（７）内に残って細菌が繁殖するのを防止する。伸縮式排水弁（１０）を介して内槽（１）と通じ、さらに糸屑が詰まるのを防止する。【選択図】図１
2018533418.tif 000002
【特許請求の範囲】
【請求項１】
外槽と、内槽と、空気室と、空気室に接続される圧力センサとを含む、槽間に水を有さない洗濯機であって、前記内槽の上部における縁部の近くに複数の放水孔が設けられ、内槽の底部に少なくとも１つの内槽排水口が設けられ、外槽底部に内槽排水口を閉じることができる伸縮式排水弁が設けられ、外槽底部に外槽排水口が設けられ、前記外槽排水口に洗濯機の排水管路が設けられ、外槽に内槽と通じる空気室が設置され、空気室に空気室中の水を排出することができる空気室排水口が設けられることを特徴とする洗濯機。
【請求項２】
前記外槽および前記内槽は同心で設置され、内槽排水口の中心から内槽の中心までの距離は、外槽排水口の中心から外槽の中心までの距離より短いか、または等しく、好ましくは、内槽排水口の中心から内槽の中心までの距離は、外槽排水口の中心から外槽の中心までの距離と同じであり、好ましくは、前記外槽排水口の直径は前記内槽排水口の直径より大きいことを特徴とする、請求項１に記載の槽間に水を有さない洗濯機。
【請求項３】
前記空気室排水口は第１管路を介して洗濯機の排水管路と通じ、前記空気室排水口部分または第１管路に、第１管路の導通、遮断を制御することができる制御弁が設置され、
好ましくは、前記第１管路および洗濯機の排水管路は三方管により接続され、
好ましくは、空気室排水口は空気室の最底部に位置することを特徴とする、請求項１に記載の槽間に水を有さない洗濯機。
【請求項４】
前記制御弁に牽引モータが設けられ、前記牽引モータは外槽底部に取り付けられるか、
または前記制御弁は前記伸縮式排水弁の牽引モータと接続されることを特徴とする、請求項１に記載の槽間に水を有さない洗濯機。
【請求項５】
前記空気室は伸縮式排水弁を介して内槽と通じ、前記伸縮式排水弁は中空構造であり、上部に取水口が設けられ、下部に出水口が設けられ、前記出水口と空気室との間は弾性管により接続され、
好ましくは、前記弾性管はホースまたはジャバラ管であることを特徴とする、請求項１に記載の槽間に水を有さない洗濯機。
【請求項６】
前記伸縮式排水弁は伸縮可能な弁プラグを少なくとも含み、前記弁プラグは伸縮可能な弁棒と、弁棒に被装され、弁棒の伸縮に伴って伸縮することができる弾性密封カバーとを含み、前記弁棒の中心は中空構造であり、上部に取水口が設けられ、下部に出水口が設けられ、取水口部分にパッキン押えが設置され、前記密封カバーの上部は取水口内に延伸し、前記パッキン押えは弁棒と接続され、さらに前記密封カバーはパッキン押えおよび前記弁棒の間で押えられ、パッキン押えの最上部は透かし彫り構造であり、
好ましくは、前記パッキン押えの最上部は格子構造であり、格子の間隙は透水孔を形成することを特徴とする、請求項１に記載の槽間に水を有さない洗濯機。
【請求項７】
前記パッキン押えの最上部は上側に突起し、中央が高く、周囲が低い半球状の弧状面であることを特徴とする、請求項１に記載の槽間に水を有さない洗濯機。
【請求項８】
前記伸縮式排水弁が内槽排水口を閉じるとき、前記パッキン押えの最上部は内槽底より高く、前記伸縮式排水弁が内槽排水口を開くとき、前記パッキン押えの最上部は外槽底より高いことを特徴とする、請求項１に記載の槽間に水を有さない洗濯機。
【請求項９】
前記密封カバーにおけるパッキン押えの周囲の位置に、弾性凸リブが１周に設けられ、前記弾性凸リブの直径は前記内槽排水口の直径より大きいことを特徴とする、請求項１に記載の槽間に水を有さない洗濯機。
【請求項１０】
請求項１〜９のいずれか１項に記載の槽間に水を有さない洗濯機の制御方法であって、
１）内槽をロックし、伸縮式排水弁が内槽排水口を閉じるように制御し、洗濯機が内槽に取水すると、内槽中の水は空気室に進入して、空気室中の空気を圧縮し、空気室中の空気の圧力を測定して内槽の水位を得る；
２）伸縮式排水弁が内槽排水口を開くように制御し、内槽中の水を外槽に排出し；好ましくは、伸縮式排水弁が内槽排水口を開くように制御した後、内槽のロックを解除し、内槽排水口が外槽排水口に正対するまで内槽が回転するように制御し、内槽の水を外槽排水口に直接排出する；
３）空気室排水口が開くように制御し、空気室中の水を排出する；ことを特徴とする方法。
【発明の詳細な説明】
【技術分野】
【０００１】
本発明は洗濯機の分野に関し、特に槽間に水を有さない洗濯機および制御方法である。
【背景技術】
【０００２】
既存のパルセータ式洗濯機は、内槽に透水孔を有し、内外槽間は通じる。内槽は洗濯槽であり、外槽は水受け槽であるが、内槽および外槽の側壁間に満たされるこの部分の水は洗濯に関与しない。洗濯に関与するのは内槽中の水のみであり、これにより水資源の浪費は比較的多くなる。他に、内外槽間の水が過度に多いと、洗濯液中の洗剤／粉末洗剤の濃度も低下する。これと同時に、水流が内槽、外槽の間で頻繁に出入りするため、使用し続けると、内槽および外槽の側壁間の領域は汚れた空間になり、水道水の水垢、粉末洗剤の遊離物、衣類のセルロース、人体の有機物、衣類から持ち込まれる埃および細菌が、極めて容易に内槽および外槽の側壁間に溜まる。これらのカビは、長く使用した洗濯機内部に蓄積した大量の汚れであり、効果的に除去することができないため、繁殖したものである。これらの使用者から見えない汚れを除去しない場合、次の洗濯で、細菌が衣類に付着して人体にもたらし、交差感染の問題を引き起こす。
【０００３】
中国特許第２００４２０１０７８９０．８号明細書は全自動洗濯機に関し、主に筐体、洗濯脱水槽、水受け槽および駆動装置を含む。水受け槽は洗濯脱水槽の外側に取り付けられて、筐体と固定接続され、水受け槽の内壁底面と洗濯脱水槽の外壁底面との間に密封装置が設けられ、密封装置内に密封空洞が形成される。洗濯脱水槽の外側壁に貫通孔は無く、底部に密封空洞と通じる排水孔が設けられ、水受け槽に排水管と通じる第１排水孔が設けられ、排水管に排水弁が設けられる。水受け槽は吊棒により筐体と固定接続される。吊棒の一端は筐体上端の内壁と接続され、もう一端は水受け槽の外壁と接続される。しかし、長時間稼働すると、密封構造が長時間の稼働で摩耗するため、容易に摩耗による漏水が生じる。水質が比較的劣り、含砂量が比較的高い場合、使用寿命は大幅に短くなり、有すべき機能を発揮することができなくなる。洗濯容量が多い状態での使用にも適応せず、信頼性が比較的劣る。
【０００４】
このことを考慮して、本発明を示す。
【先行技術文献】
【特許文献】
【０００５】
【特許文献１】中国特許第２００４２０１０７８９０．８号明細書
【発明の概要】
【発明が解決しようとする課題】
【０００６】
本発明の目的は既存技術の不足を克服することであり、槽間に水を有さない洗濯機および制御方法を提供する。
【課題を解決するための手段】
【０００７】
該目的を実現するため、本発明は次の技術案を採用する。槽間に水を有さない洗濯機は、外槽と、内槽と、空気室と、空気室に接続される圧力センサとを含む。前記内槽の上部における縁部の近くに複数の放水孔が設けられ、内槽の底部に少なくとも１つの内槽排水口が設けられる。外槽底部に内槽排水口を閉じることができる伸縮式排水弁が設けられ、外槽底部に外槽排水口が設けられ、前記外槽排水口に洗濯機の排水管路が設けられる。外槽に内槽と通じる空気室が設置され、空気室に空気室中の水を排出することができる空気室排水口が設けられる。
【０００８】
前記外槽および前記内槽は同心で設置され、内槽排水口の中心から内槽の中心までの距離は、外槽排水口の中心から外槽の中心までの距離より短いか、または等しい。好ましくは、内槽排水口の中心から内槽の中心までの距離は、外槽排水口の中心から外槽の中心までの距離と同じであり、好ましくは、前記外槽排水口の直径は前記内槽排水口の直径より大きい。
【０００９】
前記空気室排水口は第１管路を介して洗濯機の排水管路と通じ、前記空気室排水口部分または第１管路に、第１管路の導通、遮断を制御することができる制御弁が設置される。
好ましくは、前記第１管路および洗濯機の排水管路は三方管により接続される。
好ましくは、空気室排水口は空気室の最底部に位置する。
【００１０】
前記制御弁に牽引モータが設けられ、前記牽引モータは外槽底部に取り付けられる。
または、前記制御弁は前記伸縮式排水弁の牽引モータと接続される。
【００１１】
前記空気室は、伸縮式排水弁を介して内槽と通じる。前記伸縮式排水弁は中空構造であり、上部に取水口が設けられ、下部に出水口が設けられ、前記出水口と空気室との間は弾性管により接続される。
好ましくは、前記弾性管はホースまたはジャバラ管である。
【００１２】
前記伸縮式排水弁は伸縮可能な弁プラグを少なくとも含み、前記弁プラグは伸縮可能な弁棒と、弁棒に被装され、弁棒の伸縮に伴って伸縮することができる弾性密封カバーとを含む。前記弁棒の中心は中空構造であり、上部に取水口が設けられ、下部に出水口が設けられる。取水口部分にパッキン押えが設置され、前記密封カバーの上部は取水口内に延伸する。前記パッキン押えは弁棒と接続され、さらに前記密封カバーはパッキン押えおよび前記弁棒の間で押えられる。パッキン押えの最上部は、透かし彫り構造である。
好ましくは、前記パッキン押えの最上部は格子構造であり、格子の間隙は透水孔を形成する。
【００１３】
前記パッキン押えの最上部は上側に突起し、中央が高く、周囲が低い半球状の弧状面である。
【００１４】
前記伸縮式排水弁が内槽排水口を閉じるとき、前記パッキン押えの最上部は内槽底より高く、前記伸縮式排水弁が内槽排水口を開くとき、前記パッキン押えの最上部は外槽底より高い。
【００１５】
前記密封カバーにおけるパッキン押えの周囲の位置に、弾性凸リブが１周に設けられ、前記弾性凸リブの直径は前記内槽排水口の直径より大きい。
【００１６】
上記槽間に水を有さない洗濯機の制御方法は、１）内槽をロックし、伸縮式排水弁が内槽排水口を閉じるように制御する。洗濯機が内槽に取水すると、内槽中の水は空気室に進入して、空気室中の空気を圧縮する。空気室中の空気の圧力を測定して内槽の水位を得る。
２）伸縮式排水弁が内槽排水口を開くように制御し、内槽中の水を外槽に排出する。好ましくは、伸縮式排水弁が内槽排水口を開くように制御した後、内槽のロックを解除し、内槽排水口が外槽排水口に正対するまで内槽が回転するように制御し、内槽の水を外槽排水口に直接排出する。
３）空気室排水口が開くように制御し、空気室中の水を排出する。
【発明の効果】
【００１７】
本発明に記載の技術案を採用すると、以下の有益な効果がもたらされる。
１、本発明の前記洗濯機の排水構造は、排水が徹底され、残ることはなく、排水速度は速く、水が内外槽間で停滞するのを防止し、汚れが外槽内壁に付着するのを防止する。
【００１８】
２、本発明の前記洗濯機の水位測定は正確で、構造は簡単である。空気室中に水が残ることはなく、再度使用するとき、水位測定が不正確になるのを防止し、水が残って細菌が繁殖するのも防止する。伸縮式排水弁を介して内槽と通じ、さらに糸屑が詰まるのを防止する。
【００１９】
以下、図を組み合わせて、本発明を実施するための形態について、さらに詳細に説明する。
【図面の簡単な説明】
【００２０】
【図１】図１は、本発明の前記槽間に水を有さない洗濯機の原理図である。
【図２】図２は、本発明の前記槽間に水を有さない洗濯機の構造図である。
【図３】図３は、本発明の前記槽間に水を有さない洗濯機の断面図である。
【図４】図４は、図３のＡ部分の拡大図である。
【図５】図５は、本発明の前記伸縮式排水弁の構造図である。
【図６】図６は、本発明の前記伸縮式排水弁の断面図である。
【発明を実施するための形態】
【００２１】
図１、図２に示すように、本発明の前記槽間に水を有さない洗濯機は、内槽１、外槽４を含む。内槽１の上部における上縁の近くに複数の放水孔２が設けられ、内槽１の底部に少なくとも１つの内槽排水口３が設けられる。外槽４底部に内槽排水口を閉じることができる伸縮式排水弁１０が設けられ、外槽４底部に外槽排水口５が設けられ、前記外槽排水口５に洗濯機の排水管路６が設けられる。
【００２２】
洗濯時、内槽１はロックされ、伸縮式排水弁１０は内槽排水口３を閉じ、内槽１中に水を有し、内外槽間に水は有さない。排水時、伸縮式排水弁１０は内槽排水口を開き、内槽１内の大部分の水は内槽排水口３を通って内槽１から排出され、さらに外槽排水口５および洗濯機の排水管路６を通って排出される。脱水時、内槽１はロックが解除され、内槽１が回転して脱水する。脱水時に放出される水は、遠心力の作用により上に運動し、放水孔２を通って内槽から排出され、内槽、外槽間に到り、さらに外槽排水口５および洗濯機の排水管路６を通って排出される。
【００２３】
前記外槽４および前記内槽１は同心で設置され、内槽排水口３の中心から内槽１の中心までの距離は、外槽排水口５の中心から外槽４の中心までの距離と同じである。内槽の排水時、内槽排水口３は外槽排水口５に正対し、水流は内槽１から出て、直接外槽排水口５を通過し、洗濯機の排水管路６に進入して排出される。排水は順調であり、内外槽間に停滞する時間は短く、水は先に内外槽間に排出される必要はなく、外槽排水口５に流れる。好ましくは、前記外槽排水口５の直径は前記内槽排水口３の直径より大きく、水流が内外槽間で停滞するのを防止し、汚れが外槽内壁に付着するのを防止する。
【００２４】
上記洗濯機は洗濯時、内外槽間に水を有さず、洗濯水を節約することができ、洗濯のたびにおおよそ２０％前後を節約する。排水時、大部分の水は下部の排水口から排出され、糸屑、土砂はこれに伴って排出され、内槽内に堆積することはない。さらに脱水および洗濯時、内槽と、内槽排水口を閉じる密封構造（伸縮式排水弁）との間は相対運動せず、摩耗を防止する。
【００２５】
前記外槽４に空気室７が設置され、前記空気室７は外槽４の内部または外部のいずれに設置してもよい。本発明において、好ましくは、空気室７は外槽４の外部に設置され、内槽１の取付に影響を及ぼさず、内槽１の容量を可能な限り増大させる。前記空気室７は内槽と第２管路を介して通じ、内槽１中に水を有するとき、水は空気室に進入することができる。空気室７に圧力センサ１９が接続され、圧力センサ１９が空気室７内の空気の圧力を測定することにより、内槽中の水位を測定する。このような測定方法による水位の測定は、構造が簡単で、測定結果は正確である。
【００２６】
図３、図４に示すように、本発明において、空気室７および内槽１は伸縮式排水弁１０を介して通じる。前記伸縮式排水弁１０は中空構造であり、上部に取水口１２が設けられ、下部に出水口１３が設けられ、前記出水口１３および空気室７の間は弾性管１４により接続される。伸縮式排水弁１０が内槽排水口３を閉じるとき、内槽１中の水は内槽１および外槽４の間に進入することができないが、伸縮式排水弁１０内部の中空構造を介して空気室７に進入することができる。空気室内の気体を圧縮し、圧力センサ１９が空気室７内の空気の圧力を測定することにより、内槽の水位を得て、水位の測定および制御を実現する。伸縮式排水弁は上下に往復して伸縮し、下部の出水口が運動するため、出水口および空気室の間に弾性管１４を設置し、固定の空気室と運動する下部の出水口との間の接続を実現することができる。好ましくは、前記弾性管１４はホースまたはジャバラ管である。前記第２管路は、伸縮式排水弁の中空部分および前記弾性管を含む。
【００２７】
図５、図６に示すように、前記伸縮式排水弁１０は伸縮可能な弁プラグを少なくとも含み、前記弁プラグは伸縮可能な弁棒１５と、弁棒１５に被装され、弁棒１５の伸縮に伴って伸縮することができる弾性密封カバー１６とを含む。前記弁棒１５の中心は中空構造であり、上部に取水口１２が設けられ、下部に出水口１３が設けられる。取水口１２部分にパッキン押え１７が設置され、前記密封カバー１６の上部は取水口１２内に延伸する。前記パッキン押え１７は弁棒１５と接続され、さらに前記密封カバー１６はパッキン押え１７および前記弁棒１５の間で押えられる。下部の出水口部分に、空気室に接続されるホースまたはジャバラ管が設置される。前記第２管路は、伸縮式弁棒の中空部分と、前記ホースまたはジャバラ管とを含む。パッキン押え１７の最上部は透かし彫り構造であり、内槽内の水は前記透かし彫り構造を通って弁棒１５内部に進入することができ、さらに空気室７に流れる。
【００２８】
前記パッキン押え１７の最上部に複数の透水孔が設けられるか、またはパッキン押えの最上部は格子構造であり、格子の間隙が透水孔を形成する。格子を設置して、糸屑などの異物が空気室に進入するのを遮ることができる。
【００２９】
パッキン押え１７の最上部は上側に突起し、中央が高く、周囲が低い半球状の弧状面である。突起構造および半球状の弧状面は、糸屑などの異物がパッキン押え上方で停滞、堆積し、パッキン押えの透水孔が詰まるのを防止することができる。前記パッキン押え１７は、弁棒１５および密封カバー１６を接続することも、糸屑の堆積を防止する作用を発揮することもできる。
【００３０】
前記伸縮式排水弁１０が内槽排水口３を閉じるとき、前記パッキン押え１７の最上部は内槽底より高く、前記伸縮式排水弁が内槽排水口３を開くとき、前記パッキン押え１７の最上部は外槽底より高い。糸屑などの異物がパッキン押え上方で停滞、堆積し、パッキン押えの透水孔が詰まるのをさらに防止する。
【００３１】
前記密封カバー１６におけるパッキン押え１７の周囲の位置に、弾性凸リブ１８が１周に設けられ、前記弾性凸リブ１８の直径は内槽排水口３の直径より大きい。前記伸縮式排水弁１０が内槽排水口３を閉じるとき、弾性凸リブ１８は内槽排水口の外周の内槽底部に位置し、さらに押されて密封を実現する。前記パッキン押え１７が内槽排水口３に挿入されると、パッキン押え１７の最上部は内槽底より高い。前記伸縮式排水弁１０が内槽排水口３を開くとき、前記弾性凸リブ１８は糸屑などの異物がパッキン押え１７の最上部まで流されるのを妨げることができる。さらに、パッキン押えの最上部は外槽底より高く、糸屑などの異物がパッキン押え上方で停滞、堆積し、パッキン押えの透水孔が詰まるのを防止する。
【００３２】
前記伸縮式排水弁１０は外槽４外側の底部に固定され、上に内槽底部まで伸びて内槽排水口３を閉じる。前記弾性管１４は外槽４外側の底部に設置され、伸縮式排水弁１０下部の出水口および空気室とそれぞれ接続される。洗濯機内の水は外槽排水口５から排出されるため、洗濯機の排水時、空気室７中の水は完全に排出されず、これにより空気室７中に一部の水が残り、長時間空気室内に残ると、細菌が繁殖する。本発明では、空気室７に空気室７中の水を排出することができる空気室排水口８を設け、洗濯機の排水が完了するたびに、または定期的に該空気室排水口８を開いて空気室中の水を排出し、空気室内に残るのを防止する。好ましくは、空気室排水口８は空気室の最底部に位置し、空気室中のあらゆる水が空気室から排出されるのを保証する。空気室排水口８部分に制御弁１１が設置され、洗濯機は取水および洗濯状態で、該制御弁１１を閉じる。洗濯機の排水が完了すると、または定期的に該制御弁１１を開き、空気室中の水を排出する。
【００３３】
前記空気室排水口８は洗濯機の排水管路６と通じ、空気室中の水を洗濯機の排水管路６から排出する。前記空気室排水口８は第１管路９を介して洗濯機の排水管路６と通じ、前記第１管路９に、第１管路の導通、遮断を制御することができる制御弁１１が設置され、第１管路９および洗濯機の排水管路６は三方管により接続される。
【００３４】
前記制御弁１１に牽引モータが設けられ、牽引モータが制御弁の開閉を実現し、前記牽引モータは外槽底部に取り付けられる。または前記制御弁は、前記伸縮式排水弁１０の牽引モータと接続され、すなわち制御弁および伸縮式排水弁は１つの牽引モータを共用し、部品の数量を節約し、コストを節約する。
【００３５】
前記洗濯機は洗濯時、内槽をロックし、伸縮式排水弁が内槽排水口を閉じるように制御する。洗濯機が内槽に取水すると、内槽中の水は空気室に進入して、空気室中の空気を圧縮する。空気室中の空気の圧力を測定し、内槽の水位を得る。内槽１および外槽４の間に水を有さない。排水時、伸縮式排水弁が内槽排水口を開くように制御し、内槽の水を外槽に排出する。好ましくは、伸縮式排水弁が内槽排水口を開くように制御した後、内槽のロックを解除し、内槽排水口が外槽排水口に正対するまで内槽が回転するように制御し、内槽１中の水の大部分を底部の内槽排水口３から排出する。脱水時、一部の水が上部の放水孔２から排出され、内槽１および外槽４の間に排出された後、外槽排水口５および洗濯機の排水管路６から排出される。空気室７に空気室排水口８が設置され、空気室排水口８に、洗濯機の排水管路６に接続される第１管路９が設置され、空気室７中の残りの水は、空気室排水口８および第１管路９、洗濯機の排水管路６から排出される。
【００３６】
空気室７は、第２管路を介して内槽と通じ、内槽１中の水は空気室７に進入する。空気室７に圧力センサ１９が接続され、圧力センサ１９が空気室内の空気の圧力を測定することにより、内槽中の水位を測定する。
【００３７】
以上の記載は、本発明の好ましい実施方式に過ぎない。当業者は本発明の原理を逸脱しない前提で、数種の変形および改良を行うこともできるが、それも本発明の保護範囲と見なすべきであると指摘しなければならない。
【符号の説明】
【００３８】
１  内槽
２  放水孔
３  内槽排水口
４  外槽
５  外槽排水口
６  洗濯機の排水管路
７  空気室
８  空気室排水口
９  第１管路
１０  伸縮式排水弁
１１  制御弁
１２  取水口
１３  出水口
１４  弾性管
１５  弁棒
１６  密封カバー
１７  パッキン押え
１８  弾性凸リブ
１９  圧力センサ
２０  パルセータ
【図１】
2018533418.tif 000003
【図２】
2018533418.tif 000004
【図３】
2018533418.tif 000005
【図４】
2018533418.tif 000006
【図５】
2018533418.tif 000007
【図６】
2018533418.tif 000008
【国際調査報告】
2018533418.tif 000009
2018533418.tif 000010
2018533418.tif 000011
2018533418.tif 000012